(57)【要約】      （修正有）【課題】円筒形の容器を１列でも２列でも収納可能であり、運搬性が良好で、展示や集積も可能な運搬具を提供する。【解決手段】円筒状の容器を２ｎ個（ｎは整数）収納して運搬するための運搬具であって、１枚のブランクシートを中心線１６で折り、両端部である前把手板５と後把手板１１を接着して形成した把手板を有し、把手板には、容器を運搬するための持ち手孔４ａが設けられており、前把手板からそれぞれ折罫線を介して前上面板６、前面板７、底面板８、後面板９、後上面板１０、後把手板１１が連設されており、前上面板および後上面板は、それぞれ収納しようとする容器を挿入可能なｎ個の孔設部１２と、折罫線を介して連設した２枚の側面フラップ１３と（ｎ−１）枚の仕切り板１４とを有し、底面板は、収納しようとする容器ｎ個分の幅と、２個分の奥行きを有する。【選択図】図２
0003220972.tif 000002
【実用新案登録請求の範囲】
【請求項１】
円筒状の容器を２ｎ個（ｎは整数）収納して運搬するための運搬具であって、１枚のブランクシートを中心線で折り、両端部である前把手板と後把手板を接着して形成した把手板を有し、把手板には、容器を運搬するための持ち手孔が設けられており、
前把手板からそれぞれ折罫線を介して前上面板、前面板、底面板、後面板、後上面板、後把手板が連設されており、
前上面板および後上面板は、それぞれ収納しようとする容器を挿入可能なｎ個の孔設部と、折罫線を介して連設した２枚の側面フラップと（ｎ−１）枚の仕切り板とを有し、
底面板は、収納しようとする容器ｎ個分の幅と、２個分の奥行きを有することを特徴とする運搬具。
【請求項２】
円筒状の容器を２ｎ個（ｎは整数）収納して運搬するための運搬具であって、１枚のブランクシートを中心線で折り、両端部である前把手板と後把手板を接着して形成した把手板を有し、把手板には、容器を運搬するための持ち手孔が設けられており、
前把手板からそれぞれ折罫線を介して前上面板、前面板、底面板、後面板、後上面板、後把手板が連設されており、
前上面板および後上面板は、それぞれ収納しようとする容器を挿入可能なｎ個の孔設部と、折罫線を介して連設した２枚の側面フラップと（ｎ−１）枚の仕切り板とを有し、
底面板は、収納しようとする容器ｎ個分の幅と、２個分の奥行きを有し、前記中心線を中心として、距離が収納しようとする容器１個分の奥行きに等しくなるように線対称に設けた２本の第２底面折罫線を有することを特徴とする運搬具。
【請求項３】
円筒状の容器を２ｎ個（ｎは整数）収納して運搬するための運搬具であって、１枚のブランクシートを中心線で折り、両端部である前把手板と後把手板を接着して形成した把手板を有し、把手板には、容器を運搬するための持ち手孔が設けられており、
前把手板からそれぞれ折罫線を介して前上面板、前面板、底面板、後面板、後上面板、後把手板が連設されており、
前上面板および後上面板は、それぞれ収納しようとする容器を挿入可能なｎ個の孔設部と、折罫線を介して連設した２枚の側面フラップと（ｎ−１）枚の仕切り板とを有し、
底面板は、収納しようとする容器ｎ個分の幅と、２個分の奥行きを有し、距離が収納しようとする容器１個分の奥行きに等しく、前記中心線から前面板方向にほぼ１ｃｍずらして設けた２本の第２底面折罫線を有することを特徴とする運搬具。
【考案の詳細な説明】
【技術分野】
【０００１】
本考案は、飲料缶など円筒形の物品を収納して運搬するための運搬具に関し、特に簡単に組み立てられて１列用としても２列用としても使用できる運搬具に関する。
【背景技術】
【０００２】
従来、缶ビールなどの飲料缶を６本収納した紙パックが一般的に広く用いられている。この従来の紙パックは、主として販売時の利便性を考慮したものであり、売場においては６本まとめて購入する際には便利である。また売場において６本パックを重ねて展示することができるようになっているものが多い。しかし運搬性については、上部に指を入れる孔を設けたりして手で持てるようにしてあるものもあるが、長時間運搬するのには不便であった。特許文献１に記載された筒状容器キャリアカートンは、この集積性と運搬機能とを兼ね備えたカートンである。
【０００３】
特許文献１に記載された筒状容器キャリアカートンは、６本の筒状容器を収納し、運搬性を確保するために大型の把手を備え、集積する時にはこの把手を中央部の隙間に押し込むことができるようにしたものである。６本は、半ダースの数であり、従来の紙パックも６本入りが一般的である。
【０００４】
しかし運搬を主たる目的とした場合、運搬する缶の本数は６本とは限らず、３本の場合もあり得る。しかし従来の集積用紙パックでは、６本が完全に揃っていないと缶が抜け落ちてしまう恐れがあった。また、特許文献１に記載の筒状容器キャリアカートンでも、６本用のキャリアカートンに３本収納した場合、前後左右のバランスが取れず、持ち難いものとなるために、当初からこのような目的に対応することを前提としていない。
【先行技術文献】
【特許文献】
【０００５】
【特許文献１】特開２００６−３３５３６８号公報
【考案の概要】
【考案が解決しようとする課題】
【０００６】
本考案の解決しようとする課題は、円筒形の容器を１列でも２列でも収納可能であり、しかも運搬性の良好な運搬具を提案するものである。またさらに展示や集積も可能な運搬具を提案するものである。
【課題を解決するための手段】
【０００７】
上記の課題を解決するための手段として、請求項１に記載の考案は、円筒状の容器を２ｎ個（ｎは整数）収納して運搬するための運搬具であって、１枚のブランクシートを中心線で折り、両端部である前把手板と後把手板を接着して形成した把手板を有し、把手板には、容器を運搬するための持ち手孔が設けられており、前把手板からそれぞれ折罫線を介して前上面板、前面板、底面板、後面板、後上面板、後把手板が連設されており、前上面板および後上面板は、それぞれ収納しようとする容器を挿入可能なｎ個の孔設部と、折罫線を介して連設した２枚の側面フラップと（ｎ−１）枚の仕切り板とを有し、底面板は、収納しようとする容器ｎ個分の幅と、２個分の奥行きを有することを特徴とする運搬具である。
【０００８】
また、請求項２に記載の考案は、円筒状の容器を２ｎ個（ｎは整数）収納して運搬するための運搬具であって、１枚のブランクシートを中心線で折り、両端部である前把手板と
後把手板を接着して形成した把手板を有し、把手板には、容器を運搬するための持ち手孔が設けられており、前把手板からそれぞれ折罫線を介して前上面板、前面板、底面板、後面板、後上面板、後把手板が連設されており、前上面板および後上面板は、それぞれ収納しようとする容器を挿入可能なｎ個の孔設部と、折罫線を介して連設した２枚の側面フラップと（ｎ−１）枚の仕切り板とを有し、底面板は、収納しようとする容器ｎ個分の幅と、２個分の奥行きを有し、前記中心線を中心として、距離が収納しようとする容器１個分の奥行きに等しくなるように線対称に設けた２本の第２底面折罫線を有することを特徴とする運搬具である。
【０００９】
また、請求項３に記載の考案は、円筒状の容器を２ｎ個（ｎは整数）収納して運搬するための運搬具であって、１枚のブランクシートを中心線で折り、両端部である前把手板と後把手板を接着して形成した把手板を有し、把手板には、容器を運搬するための持ち手孔が設けられており、前把手板からそれぞれ折罫線を介して前上面板、前面板、底面板、後面板、後上面板、後把手板が連設されており、前上面板および後上面板は、それぞれ収納しようとする容器を挿入可能なｎ個の孔設部と、折罫線を介して連設した２枚の側面フラップと（ｎ−１）枚の仕切り板とを有し、底面板は、収納しようとする容器ｎ個分の幅と、２個分の奥行きを有し、距離が収納しようとする容器１個分の奥行きに等しく、前記中心線から前面板方向にほぼ１ｃｍずらして設けた２本の第２底面折罫線を有することを特徴とする運搬具である。
【考案の効果】
【００１０】
本考案に係る運搬具は、１枚のブランクシートを中心線で折り、両端を接着しただけの簡単な構造でありながら、円筒状の容器をｎ個または２ｎ個収納して安全に持ち運ぶことができる。ｎ個用として用いるか、２ｎ個用として用いるかは、立体状に組み立てる際に折る罫線の選択だけであるため、共通に使用することができ、それぞれ専用の運搬具を２種類作成する必要が無く合理的である。
【００１１】
組み立て前の状態では平面状であり、嵩張らないので、販売店で顧客に配布する際の利便性が高い。また簡単な構造であるため、安価に製造でき、プレミアム用として無料で配布するのにも適している。また、使用後に廃棄する際に、資源としてリサイクルする上での利便性も高い。
【００１２】
一つの運搬具がｎ個用と２ｎ個用の二通りに使用できるという意外性が面白く、この点でもプレミアム用としての価値がある。
【００１３】
ｎ個用として使用する場合、把手板が片側に寄るようにすると、積み上げが可能となるため、展示や保管における自由度が高まる。
【図面の簡単な説明】
【００１４】
【図１】図１は、本考案に係る運搬具の第１の実施態様の一例を示した斜視図であり、６個の缶を収納した状態を示したものである。
【図２】図２は、図１に示した運搬具のブランクシートの平面模式図である。
【図３】図３は、図２のブランクシートを中心線で折り、両端を接着して作成した組み立て前の運搬具の平面模式図である。
【図４】図４は、図３に示した運搬具を組み立てて、３個の缶を収納した状態を示した斜視図である。
【図５】図５は、本考案に係る運搬具の第２の実施態様の一例を示したブランクシートの平面模式図である。
【図６】図６は、図５に示したブランクシートを中心線で折り、両端を接着して作成した組み立て前の運搬具の平面模式図である。
【図７】図７は、図６に示した運搬具を組み立てて、６個の缶を収納した状態を示した斜視図である。
【図８】図８は、図６に示した運搬具を組み立てて、３個の缶を収納した状態を示した斜視図である。
【図９】図９は、本考案に係る運搬具の第３の実施態様の一例を示したブランクシートの平面模式図である。
【図１０】図１０は、図９に示したブランクシートを中心線で折り、両端を接着して作成した組み立て前の運搬具の平面模式図である。
【図１１】図１１は、図１０に示した運搬具を組み立てて、６個の缶を収納した状態を示した斜視図である。
【図１２】図１２は、図１０に示した運搬具を組み立てて、３個の缶を収納した状態を示した斜視図である。
【考案を実施するための形態】
【００１５】
以下図面を参照しながら、本考案に係る運搬具について詳細に説明する。図２は、本考案に係る運搬具の第１の実施態様の一例を示したブランクシート２の平面模式図である。また、図３は、図２に示したブランクシート２を中心線で折り、両端を接着して作成した組み立て前の運搬具１の平面模式図である。
【００１６】
本考案に係る運搬具１は、円筒状の容器２０を２ｎ個（ｎは整数であり、この例ではｎ＝３）収納して運搬するための運搬具であって、１枚のブランクシート２を中心線１６で折り、両端部である前把手板５と後把手板１１を接着して形成した把手板３を有し、把手板３には、容器を運搬するための持ち手孔４ａが設けられている。なおこの例では、後把手板１１に持ち手孔４ａが設けられており、前把手板５には、同じ位置に持ち手切込線４ｂと２重折罫線ａが設けられている。使用時には、前把手板５の持ち手切込線４ｂを切り離し、２重折罫線ａを折って、後把手板１１に設けられた持ち手孔４ａに押し込むことで、図１に示したように持ち手孔４ａが貫通する。こうして作られた持ち手孔４ａは、素材の切り口が露出せず折り込まれた素材で保護されているために、手で持った時に手が痛くないという特徴がある。
【００１７】
図２に示したように、前把手板５から折罫線ｂを介して前上面板６を連設し、さらに折罫線ｄを介して前面板７を連設し、第１底面折罫線１７ａを介して底面板８を連設し、さらに第１底面折罫線１７ｂを介して後面板９を連設し、さらに同様にして後上面板１０、後把手板１１が連設されている。
【００１８】
前上面板６には、それぞれ収納しようとする容器を挿入可能なｎ個（この例では３個）の孔設部１２と、折罫線ｃを介して連設した２枚の側面フラップ１３と（ｎ−１）枚（この例では２枚）の仕切り板１４とを有し、後上面板１０も同様である。底面板８は、収納
しようとする容器ｎ個分の幅（この例では３個分の幅）と、２個分の奥行きを有することを特徴とする。図２の例では、孔設部１２の面積が大きいため、前上面板６は、実質的には孔設部の四隅または二隅に設けられたコーナー補強板１５から成り立っている。
【００１９】
収納しようとする円筒状の容器としては、飲料缶が想定されるが、容量と重量によってｎの値は、自ずから制約される。一般的な３５０ｍｌ入りの缶ビールの場合であれば、ｎは２〜４程度である。１では運搬具の意味が少なく、５以上では重過ぎて運搬が困難となる恐れがある。
【００２０】
本考案に係る運搬具１を図１のように２ｎ個用として用いるか、図４のようにｎ個用として用いるかは、図３の状態からどの折罫線を折って組み立てるかによって決定される。すなわち、第１底面折罫線１７ａ、１７ｂの両方を直角に折り、中心線１６を平面に伸ばすと、図１のように２ｎ個用となり、中心線１６と第１底面折罫線１７ｂを直角に折り、第１底面折罫線１７ａを折らない場合には、図４のようにｎ個用として用いることができる。
【００２１】
図４のように用いた場合には、把手板３が後ろ側に寄るので、パッケージを積み上げることができる。この時、パッケージの背面は、後面板９と後上面板１０とによって構成されることになるが、後面板９の長さと後上面板１０の長さを加えた値が収納しようとする容器の高さに比較して高過ぎると、容器が後側に転落する恐れがあるため、後面板９の長さと後上面板１０の長さを加えた値は、容器の高さと等しいかこれより小さくすることが望ましい。
【００２２】
図５は、本考案に係る運搬具１の第２の実施態様の一例を示したブランクシート２の平面模式図である。また図６は、図５に示したブランクシート２を中心線１６で折り、両端を接着して作成した組み立て前の運搬具１の平面模式図である。図７は、図６に示した運搬具１を組み立てて、６個の缶を収納した状態を示した斜視図である。図８は、図６に示した運搬具１を組み立てて、３個の缶を収納した状態を示した斜視図である。
【００２３】
本実施態様においては、底面板８は、収納しようとする容器ｎ個分の幅（この場合は３個分の幅）と、２個分の奥行きを有し、中心線１６を中心として、距離が収納しようとする容器１個分の奥行きに等しくなるように線対称に設けた２本の第２底面折罫線１８ａ、１８ｂを有することを特徴とする。
【００２４】
図６に示した状態から、第１底面折罫線１７ａ、および第１底面折罫線１７ｂの２本の折罫線を直角に折り、中心線１６を平面に伸ばすと、図７に示したように６個用となり、第２底面折罫線１８ａと第２底面折罫線１８ｂを直角に折り、第１底面折罫線１７ａおよび第１底面折罫線１７ｂを折らない場合には、図８に示したように３個用として用いることができる。
【００２５】
この場合には、把手板３が容器の中心に位置するため、パッケージを積み上げることはできないが、手で持った時の安定性は、非常に良好となる。なお特に図示はしないが、第１の実施態様と同様に、中心線１６と第１底面折罫線１７ｂを直角に折り、第１底面折罫線１７ａと第２底面折罫線１８ａを折らない場合には、図４の場合と同様に３個用として用いることができる。この場合には、パッケージを積み上げることができる。
【００２６】
図９は、本考案に係る運搬具１の第３の実施態様の一例を示したブランクシート２の平面模式図である。図１０は、図９に示したブランクシート２を中心線１６で折り、両端を接着して作成した組み立て前の運搬具１の平面模式図である。また図１１は、図１０に示した運搬具１を組み立てて、６個の缶を収納した状態を示した斜視図である。図１２は、
図１０に示した運搬具１を組み立てて、３個の缶を収納した状態を示した斜視図である。
【００２７】
本実施態様においては、底面板８は、収納しようとする容器ｎ個分の幅（この場合は３個分の幅）と、２個分の奥行きを有し、距離が収納しようとする容器１個分の奥行きに等しく、中心線１６から前面板７方向にほぼ１ｃｍずらして設けた２本の第２底面折罫線１９ａ、１９ｂを有することを特徴とする。
【００２８】
図１０に示した状態から、第１底面折罫線１７ａ、および第１底面折罫線１７ｂの２本の折罫線を直角に折り、中心線１６を平面に伸ばすと、図１１に示したように６個用となり、第２底面折罫線１９ａと第２底面折罫線１９ｂを直角に折り、第１底面折罫線１７ａおよび第１底面折罫線１７ｂを折らない場合には、図１２に示したように３個用として用いることができる。
【００２９】
第１の実施態様と第３の実施態様の違いは、ｎ個用として使用する場合の底面折罫線の位置が第３実施態様においては、ほぼ１ｃｍ前面板側にずれている事であるが、こうすることにより、前上面板６の傾斜がきつくなる点にある。前上面板６の傾斜が増すことにより、パッケージを店頭に展示した際の見栄えが良くなる事に加え、孔設部１２における円筒状の容器２０のぐらつきを防止する効果がある。なおこのほぼ１ｃｍという値は、収納しようとする容器の直径の１５％〜２０％程度に相当する。
【００３０】
本考案に係る運搬具に使用する素材としては、一般的な厚紙や樹脂強化紙の他、プラスチック板等も用いることができる。また運搬具の表面には、適宜印刷表示や樹脂コーティング等を行うことができる。
【符号の説明】
【００３１】
１・・・運搬具
２・・・ブランクシート
３・・・把手板
４ａ・・・持ち手孔
４ｂ・・・持ち手切込線
５・・・前把手板
６・・・前上面板
７・・・前面板
８・・・底面板
９・・・後面板
１０・・・後上面板
１１・・・後把手板
１２・・・孔設部
１３・・・側面フラップ
１４・・・仕切り板
１５・・・コーナー補強板
１６・・・中心線
１７ａ、１７ｂ・・・第１底面折罫線
１８ａ、１８ｂ・・・第２底面折罫線
１９ａ、１９ｂ・・・第２底面折罫線
ａ〜ｅ・・・折罫線
２０・・・円筒状の容器
【図１】
0003220972.tif 000003
【図２】
0003220972.tif 000004
【図３】
0003220972.tif 000005
【図４】
0003220972.tif 000006
【図５】
0003220972.tif 000007
【図６】
0003220972.tif 000008
【図７】
0003220972.tif 000009
【図８】
0003220972.tif 000010
【図９】
0003220972.tif 000011
【図１０】
0003220972.tif 000012
【図１１】
0003220972.tif 000013
【図１２】
0003220972.tif 000014